(57)【要約】【課題】シートの光の透過度合いに係わらず、シートの前端を高精度に検知可能で、しかもシートを検知する検知部の小型化も図れるシート搬送装置を実現する。【解決手段】原稿搬送装置（２）は、原稿を検知する検知部（１０）を有し、検知部（１０）は、発光素子（１１）からの光が導入されるＵ字型導光路部（１５）と受光素子（１２）との間に配置され、起立状態で先端部（１６Ａ）がＵ字型導光路部（１５）の他端部（１５Ｂ）と対向し、発光素子（１１）からの光を受光素子（１２）に伝達する受光側導光路部（１６）を備えている。受光側導光路部（１６）は、先端部（１６Ａ）が搬送経路（３７）内に臨設されると共に傾倒可能に支持され、かつ、起立状態に付勢されており、搬送経路（３７）を搬送される原稿（５）にて傾倒されるようになっている。【選択図】図１
2020158252.tif 000002
【特許請求の範囲】
【請求項１】
シートの搬送経路の近傍に設けられ、前記搬送経路を搬送されるシートを検知する検知部を有し、
前記検知部は、
発光素子と、
前記発光素子よりも搬送方向上流側に配置された受光素子と、
前記発光素子および前記受光素子と前記搬送経路を挟んで対向する位置に配設され、一端部から導入された前記発光素子からの光を他端部から出射するＵ字型の第１導光路部と、
前記受光素子と前記第１導光路部の前記他端部との間に配置され、起立状態で先端部が前記第１導光路部の前記他端部と対向し、前記先端部から導入された前記発光素子からの光を前記受光素子に伝達する第２導光路部と、を備え、
前記第２導光路部は、前記先端部が前記搬送経路内に臨設されると共に前記先端部を含む少なくとも一部が傾倒可能に支持され、かつ、起立状態に付勢され、前記搬送経路を搬送されるシートにて傾倒されることを特徴とするシート搬送装置。
【請求項２】
前記発光素子からの光が前記第１導光路部の前記一端部に入る光路と前記第２導光路部とは、シートの後端が前記光路を通過する前に傾倒された前記第２導光路部が起立状態に復帰するように所定の距離以上に離間されていることを特徴とする請求項１に記載のシート搬送装置。
【請求項３】
前記第２導光路部は、前記先端部と前記受光素子と対向する後端部との間に傾倒の支点を有し、前記先端部を含む一部が傾倒することを特徴とする請求項１又は２に記載のシート搬送装置。
【請求項４】
前記第２導光路部におけるシートが接触する部分に摩耗防止部材が設けられていることを特徴とする請求項１から３の何れか１項に記載のシート搬送装置。
【請求項５】
前記発光素子からの光が前記第１導光路部の前記一端部に入る光路と前記第２導光路部の前記先端部との間に、遮光部材が設けられていることを特徴とする請求項１から４の何れか１項に記載のシート搬送装置。
【請求項６】
前記受光素子が受光した光量に応じた電気信号が入力される制御部を備え、
前記制御部は、前記電気信号が第１閾値を下回るとシートの前端が前記検知部に到達したと検知し、前記電気信号が第２閾値を上回るとシートの後端が前記検知部を通過したと検知し、
前記第２閾値は、前記第１閾値よりも大きく、かつ、前記発光素子からの光が前記第１導光路部の前記一端部に入る光路を光の透過度合いが比較的高いシートが遮っている状態で前記受光素子に受光される光量に応じた前記電気信号よりも大きく設定されていることを特徴とする請求項１から５の何れか１項に記載のシート搬送装置。
【請求項７】
前記制御部は、前記電気信号が前記第１閾値を上回ると、前記第２導光路部が起立状態に復帰した時点からシートの後端が前記光路を通過したと推定される所定の期間だけ、前記電気信号が前記第２閾値を上回ったかを判定し、前記第２閾値を上回った場合は、その時点でシートの後端が前記検知部を通過したと検知し、前記第２閾値を上回らなかった場合は前記第１閾値を上回った時点でシートの後端が前記検知部を通過したと検知することを特徴とする請求項６に記載のシート搬送装置。
【請求項８】
シートの搬送経路の近傍に設けられ、前記搬送経路を搬送されるシートを検知する検知部を有し、
前記検知部は、
発光素子と、
受光素子と、
前記発光素子からの光を前記受光素子へ導く光路の少なくとも一部に配設され、起立状態で前記発光素子からの光を前記受光素子に伝達する導光路部と、を備え、
前記導光路部は、一方の端部が前記搬送経路内に臨設されると共に該臨設された部分を含む少なくとも一部が傾倒可能に支持され、かつ、起立状態に付勢され、前記搬送経路を搬送されるシートにて傾倒されることを特徴とするシート搬送装置。
【発明の詳細な説明】
【技術分野】
【０００１】
本発明は、画像読取装置等に用いられるシート搬送装置に関し、特にシート搬送時のシートの前端検知に関する。
【背景技術】
【０００２】
特許文献１には、透過型センサにて普通紙等の光の透過度合いが比較的低いシートを検知し、アクチュエータスイッチにてＯＨＰシート等の光の透過度合いが比較的高いシートを検知する技術が記載されている。透過型センサによるシートの検知は、アクチュエータスイッチによる検知に比べてシートの搬送速度が高速化しても高い検知精度が得られるといった利点がある。しかしながら、光の透過度合いの比較的高いシートの場合、光が透過することで誤検知する可能性がある。そのため、光の透過度合いの比較的高いシートについてはアクチュエータスイッチが用いられている。
【先行技術文献】
【特許文献】
【０００３】
【特許文献１】特開２０１７−１６３４８４号公報
【発明の概要】
【発明が解決しようとする課題】
【０００４】
しかしながら、特許文献１に記載されている技術では、搬送経路に透過型センサとアクチュエータスイッチとをそれぞれ配設する必要があるという問題があった。
【０００５】
本発明の一態様は、シートの光の透過度合いに係わらず、シートを検知可能である検知部を有するシート搬送装置を実現することを目的とする。
【課題を解決するための手段】
【０００６】
上記の課題を解決するために、本発明の一態様に係るシート搬送装置は、シートの搬送経路の近傍に設けられ、前記搬送経路を搬送されるシートを検知する検知部を有し、前記検知部は、発光素子と、前記発光素子よりも搬送方向上流側に配置された受光素子と、前記発光素子および前記受光素子と前記搬送経路を挟んで対向する位置に配設され、一端部から導入された前記発光素子からの光を他端部から出射するＵ字型の第１導光路部と、前記受光素子と前記第１導光路部の前記他端部との間に配置され、起立状態で先端部が前記第１導光路部の前記他端部と対向し、前記先端部から導入された前記発光素子からの光を前記受光素子に伝達する第２導光路部と、を備え、前記第２導光路部は、前記先端部が前記搬送経路内に臨設されると共に前記先端部を含む少なくとも一部が傾倒可能に支持され、かつ、起立状態に付勢され、前記搬送経路を搬送されるシートにて傾倒される。
【０００７】
上記構成によれば、シートが搬送されていない状態では、発光素子からの光はＵ字型の第１導光路部を通って起立状態にある第２導光路部に入り、第２導光路部を通って受光素子に伝達される。一方、シートが搬送され、シートが搬送経路に突出している第２導光路部の先端部に接触すると、第２導光路部が傾倒される。そのため、発光素子からの光が第２導光路部に入らなくなり、受光素子に伝達されない。したがって、受光素子が受光する光量の変化から、搬送されるシートを検知することができる。
【０００８】
そして、このような構成では、シートを第２導光路部に接触させて第２導光路部を傾倒することで、発光素子と受光素子との間の光路を遮断しているので、シートの光の透過度合いに関係なく、シートの前端を検知することができる。なお、第２導光路部は、シートが通過している間傾倒状態を維持し、シートの後端が先端部を通過することで付勢力にて起立状態に復帰する。
【０００９】
さらに、このような構成では、発光素子と受光素子との間の光路をシートが遮断することで高精度に検知できる透過型センサの利点と、シートが物理的に接触することでシートの光の透過度合いに関係なくシートを検知できるアクチュエータスイッチの利点の両方を備えた、１つの透過型センサにて、厚紙からＯＨＰシートまで幅広く高精度に検知できる。
【発明の効果】
【００１０】
本発明の一態様によれば、シートの光の透過度合いに係わらず、シートを検知可能である検知部を有するシート搬送装置を実現することができる。
【図面の簡単な説明】
【００１１】
【図１】本発明の一実施形態に係る画像読取装置の原稿搬送装置に備えられた検知部の構成を簡略化して示す模式図である。
【図２】上記画像読取装置の構成を簡略化して示す模式図である。
【図３】上記原稿搬送装置における、原稿が検知部を通過する際の受光側導光路部の状態と検知部より出力される電気信号との関係を示す図である。
【図４】本発明の他の実施形態に係る画像読取装置の原稿搬送装置に備えられた検知部の構成を簡略化して示す模式図である。
【図５】本発明の他の実施形態に係る画像読取装置の原稿搬送装置に備えられた検知部の構成を簡略化して示す模式図である。
【図６】本発明の他の実施形態に係る画像読取装置の原稿搬送装置に備えられた検知部の構成を簡略化して示す模式図である。
【発明を実施するための形態】
【００１２】
〔実施形態１〕
以下、本発明の一実施形態について、詳細に説明する。本実施形態では、シート搬送装置として原稿搬送装置は、原稿の画像を読み取って画像データを生成する画像読取装置に搭載されている。また、本実施形態では、画像読取装置は、画像形成装置としての複合機の上部に配置されている。
【００１３】
（画像読取装置１の構成）
図２は、本発明の一実施形態に係る画像読取装置１の構成を簡略化して示す模式図である。図２に示すように、画像読取装置１は、複合機（図示せず）の筐体２３の上面に設置され、シートとしての原稿５を搬送する原稿搬送装置２、イメージセンサ（ＣＩＳ：Contact Image Sensor）２２等を含む。
【００１４】
画像読取装置１は、複合機の筐体２３に、筐体２３の上面を覆う閉姿勢と該上面を開放する開姿勢とに回動可能に連結された原稿カバー２６を有している。原稿カバー２６には、上述した原稿搬送装置２の他、読み取り前の原稿５が積載される原稿トレイ２８、読み取り後の原稿が排出される排紙トレイ２９などが設けられている。
【００１５】
原稿搬送装置２の内部には、分離ローラ３０、分離ローラ３０を軸支する軸に基端側を軸支されたアーム３１の先端部に回転自在に設けられている吸入ローラ３２、複数の搬送ローラ３３，３４、排紙ローラ３５、これらに圧接する複数の従動ローラ３６が設けられている。原稿５はこれらのローラに搬送されて搬送経路３７上を搬送され、イメージセンサ２２による読取位置Ｐを通過して排紙トレイ２９上に排紙される。
【００１６】
また、原稿搬送装置２は、搬送経路３７の近傍に、搬送経路３７を搬送される原稿を検知する検知部１０を備えている。図２の例では、検知部１０は、搬送ローラ３４とイメージセンサ２２との間に配設されている。検知部１０は、詳細については後述するが、透過型センサを構成する発光素子１１および受光素子１２を備え（図１参照）、受光素子１２の受光量に応じた電気信号を制御部８に出力する。
【００１７】
制御部８は、ＣＰＵ、ＲＯＭおよびＲＡＭを含み、画像読取装置１の各部を制御する制御中枢である。制御部８は、検知部１０から入力される電気信号に基づいて、原稿の画像の読み取りに係る各種の制御を行う。例えば、制御部８は、検知部１０から入力される電気信号に基づいて原稿５の前端および後端を検知し、原稿５の位置を推定する。
【００１８】
イメージセンサ２２は、画像形成装置の筐体２３の内部に収容されている。イメージセンサ２２は、原稿搬送装置２にて搬送される原稿の画像を、第２プラテンガラス２５を介して読み取る。また、イメージセンサ２２は、第１プラテンガラス２４上に載置された原稿の画像を、第２プラテンガラス２５の長手方向である主走査方向に垂直な副走査方向に移動しながら読み取る。
【００１９】
なお、画像形成装置は複合機に限られず、例えば、単にコピー機であってもよい。また、画像読取装置１も画像形成装置に備えられる構成に限られず、例えば、単にイメージスキャナーであってもよい。また、画像読取装置１を画像形成装置に備える構成とする場合、制御部８は、画像形成装置の制御部に組み込んでもよい。
【００２０】
（検知部１０の構成）
図１は、画像読取装置１の原稿搬送装置２に備えられた検知部１０の構成を簡略化して示す模式図である。図１に示すように、検知部１０は、発光素子１１、受光素子１２、発光側導光路部１４、第１導光路部としてのＵ字型導光路部１５、および第２導光路部としての受光側導光路部１６を備えている。
【００２１】
発光素子１１および受光素子１２とで透過型センサが構成される。発光素子１１および受光素子１２は、一点鎖線で示す搬送経路３７に向けて配置されている。受光素子１２は、発光素子１１よりも原稿５の搬送方向下流側に配設されている。
【００２２】
Ｕ字型導光路部１５は、発光素子１１および受光素子１２と搬送経路３７を挟んで対向する位置に配設されている。一端部１５Ａから導光された発光素子１１からの光を他端部１５Ｂから出射するＵ字型の導光部材である。
【００２３】
発光側導光路部１４は、発光素子１１とＵ字型導光路部１５の一端部１５Ａとの間に配置された棒状の導光部材である。発光側導光路部１４は、発光素子１１からの光がＵ字型導光路部１５の一端部１５Ａに入る光路を形成している。なお、発光側導光路部１４は必須の部材ではない。例えば、発光素子１１の指向性が高い場合や、搬送経路３７との位置の関係で、発光素子１１とＵ字型導光路部１５の一端部１５Ａとの間に光を伝達する部材を発光側導光路部１４を設けなくても発光素子１１からの光がＵ字型導光路部１５の一端部１５Ａに入る光路が形成可能な場合は、発光側導光路部１４を省略できる。
【００２４】
受光側導光路部１６は、受光素子１２とＵ字型導光路部１５の他端部１５Ｂとの間に配置された棒状の導光部材である。受光側導光路部１６は、起立状態で先端部１６ＡがＵ字型導光路部１５の他端部１５Ｂと対向し、発光素子１１からの光を受光素子１２に伝達する。つまり、受光側導光路部１６は、発光素子１１からの光がＵ字型導光路部１５を通って他端部１５Ｂから出射され、受光素子１２に入る光路を形成している。
【００２５】
そして、このような受光側導光路部１６は、先端部１６Ａを搬送経路３７内に臨設させる一方、先端部１６Ａを含む少なくとも一部が傾倒可能に支持されている。図１の構成では、受光側導光路部１６の受光素子１２と対向する後端部１６Ｂの近傍に傾倒の支点Ｚが設けられ、受光側導光路部１６全体が支点Ｚで傾倒するようになっている。傾倒の支点Ｚは、回転の支点であり、受光側導光路部１６は支点Ｚを中心に、起立状態を基準に、原稿５の搬送方向下流側に向かって所定の角度傾倒可能に設けられている。
【００２６】
さらに、受光側導光路部１６は、バネ等の付勢部材（図示せず）により、常時起立状態に付勢されている。つまり、受光側導光路部１６は、搬送経路３７を搬送される原稿５の前端が接触することで、付勢力に抗って傾倒し、原稿５から力を受けている間傾倒状態を維持し、原稿５からの力を受けなくなると付勢力にて起立状態に復帰するように設けられている。
【００２７】
図１においては、原稿５と接触して傾倒した受光側導光路部１６を破線にて示す。受光側導光路部１６は、原稿５の前端が、搬送経路３７内に突出した先端部１６Ａと接触することで傾倒し、搬送経路３７内を原稿５が通過する間傾倒した状態を維持する。受光側導光路部１６は、搬送経路３７内を原稿５が通過し、原稿５の接触がなくなることで、実線で示す起立状態に復帰する。
【００２８】
また、より好ましい構成として、発光側導光路部１４と受光側導光路部１６とは、原稿５の後端が発光側導光路部１４を通過する前に傾倒された受光側導光路部１６が起立状態に復帰するように所定の距離以上に離間されている。このような構成とすることで、原稿５の後端が発光側導光路部１４を通過する前に、受光側導光路部１６が起立状態に復帰するので、後述するように、受光側導光路部１６を通って受光素子に伝達される光量の変化から、原稿５の後端を精度良く検知することができる。
【００２９】
（原稿５の位置と受光側導光路部１６の状態と受光素子１２の受光量の関係）
図３は、原稿搬送装置２における、原稿５が検知部１０を通過する際の受光側導光路部１６の状態と検知部１０より出力される電気信号との関係を示す図である。図３に示すグラフにおいて、縦軸は受光素子１２の受光量に応じた電気信号である。横軸は時間である。
【００３０】
図３の（１）に示すように、原稿５の前端が受光側導光路部１６の先端部１６Ａに接触するまでは、電気信号はＶ１である。
【００３１】
そして、図３の（２）に示すように、原稿５の前端が受光側導光路部１６の先端部１６Ａに接触して受光側導光路部１６が傾倒し、先端部１６ＡがＵ字型導光路部１５の他端部１５Ｂと対向する位置から完全にずれることで、電気信号がＶ０となる。このような原稿５が接触して受光側導光路部１６が傾倒するタイミングは、原稿５の光の透過度合いに左右されるものではない。したがって、電気信号の変化は、原稿５が普通紙等の光の透過度合いが比較的低いものであっても同じとなる。
【００３２】
原稿５の搬送が進み、図３の（３）に示すように、原稿５の後端がＵ字型導光路部１５の他端部１５Ｂを抜けても、原稿５の後端が受光側導光路部１６の先端部１６Ａを抜けきらず、受光側導光路部１６が傾倒している場合は、電気信号がＶ０となる。
【００３３】
原稿５の搬送がさらに進み、図３の（４）に示すように、原稿５の後端が受光側導光路部１６を完全に抜けると受光側導光路部１６が起立状態へ完全に復帰する。原稿５の後端は、発光側導光路部１４とＵ字型導光路部１５の一端部１５Ａとの間に位置している。この状態での電気信号は、原稿５の光の透過度合いによって異なる。
【００３４】
つまり、光の透過度合いが比較的高い原稿５の場合は、発光素子１１から出た光は、原稿５を透過してＵ字型導光路部１５に導入され、起立状態に復帰した受光側導光路部１６を介して受光素子１２に受光される。発光素子１１からの光の一部は原稿５にて遮られるため、電気信号がＶ０とＶ１との間のＶ２となる（実線）。
【００３５】
一方、光の透過度合いが比較的低い原稿５の場合は、発光素子１１から出た光は、原稿５にて遮蔽され、受光素子１２に受光されることはない。そのため、電気信号は、Ｖ０を維持する（太い破線）。
【００３６】
その後、原稿５の搬送がさらに進み、図３の（５）に示すように、原稿５の後端が、発光側導光路部１４とＵ字型導光路部１５の一端部１５Ａとの間を完全に抜けると、発光素子１１からの光は、Ｕ字型導光路部１５および受光側導光路部１６を介して受光素子１２に受光される。
【００３７】
これにより、電気信号はＶ１となる。光の透過度合いが比較的高い原稿５の場合は、電気信号がＶ２を経てＶ１となる（実線）。一方、光の透過度合いが比較的低い原稿５の場合は、発光素子１１から出た光は、Ｖ０からＶ１へ直に変化する（太い破線）。原稿５の光の透過度合いに関わらず、電気信号がＶ１となったタイミングが、検知部１０を原稿５の後端が抜けたタイミングである。
【００３８】
（電気信号に基づく原稿５の前端および後端の検知）
次に、図３を用いて、制御部８による搬送される原稿５を検知する方法を説明する。制御部８（図２参照）には、検知部１０から図３に示す電気信号が入力される。また、制御部８には、図３に示す第１閾値ＴＶ１と第２閾値ＴＶ２とが設定されている。
【００３９】
制御部８は、検知部１０から入力される電気信号が第１閾値ＴＶ１を下回ると原稿５の前端が検知部１０に到達したと検知する。また、制御部８は、電気信号が第２閾値ＴＶ２を上回ると原稿５の後端が検知部１０を通過したと検知する。第２閾値ＴＶ２は、第１閾値ＴＶ１よりも大きく、かつ、Ｖ２よりも大きく設定されている。Ｖ２は、発光素子１１からの光が発光側導光路部１４とＵ字型導光路部１５の一端部１５Ａとの間を光の透過度合いが比較的高い原稿５が遮っている状態で受光素子１２に受光される光量に応じた電気信号である。
【００４０】
このように、原稿５の後端の通過を判定する閾値を、原稿５の前端の到達を検知する第１閾値ＴＶ１と異なる第２閾値ＴＶ２に設定している。そして、この第２閾値ＴＶ２を、光の透過度合いが比較的高い原稿５が発光素子１１からの光を遮っている状態で、受光素子１２に受光される光量に応じた電気信号よりも大きく設定している。これにより、原稿５の光の透過度合いに関係なく、検知部１０から出力される電気信号に基づいて原稿５の後端を高精度に検知することができる。
【００４１】
（判定閾値の切り換えタイミングの一例）
本実施形態では、制御部８は、電気信号が第１閾値ＴＶ１を上回ると、所定の期間だけ第２閾値ＴＶ２を用いて電気信号が第２閾値ＴＶ２を上回ったかを判定する。所定の期間とは、受光側導光路部１６が起立状態に復帰した時点から原稿５の後端が発光側導光路部１４とＵ字型導光路部１５の一端部１５Ａとの間を通過したと推定される期間である。
【００４２】
制御部８は、電気信号が第２閾値ＴＶ２を上回った場合は、その時点で原稿５の後端が検知部１０を通過したと検知する。第２閾値ＴＶ２を上回らなかった場合は、第１閾値ＴＶ１を上回った時点で原稿５の後端が検知部１０を通過したと検知する。
【００４３】
このようなタイミングで判定閾値を切り換えることで、第２閾値ＴＶ２を用いる期間を極力短くすることができる。
【００４４】
（効果）
上記構成によれば、原稿５を受光側導光路部１６に接触させて受光側導光路部１６を傾倒することで、発光素子１１と受光素子１２との間の光路を遮断して原稿５の前端を検知するようになっている。したがって、原稿５の光の透過度合いに関係なく、原稿５の前端を検知することができる。
【００４５】
さらに、このような構成では、発光素子１１と受光素子１２との間の光路を原稿５が遮断することで高精度に検知できる透過型センサの利点と、原稿５が物理的に接触することで原稿５の光の透過度合いに関係なく検知できるアクチュエータスイッチの利点とを融合して、１つの透過型センサにて、厚紙からＯＨＰシートまで幅広く高精度に検知できる。
【００４６】
しかも、上記構成によれば、検知部１０は、発光素子１１および受光素子１２と、Ｕ字型導光路部１５と、受光側導光路部１６を主な構成要素としているので、透過型センサとアクチュエータスイッチとを併設した構成に比べて検知部１０の小型化も図れる。
【００４７】
〔他の実施形態〕
本発明の他の実施形態について、以下に説明する。なお、説明の便宜上、上記実施形態にて説明した部材と同じ機能を有する部材については、同じ符号を付記し、その説明を繰り返さない。
【００４８】
図４〜図６は、本発明の他の実施形態を示すもので、画像読取装置１の原稿搬送装置２に設けられた検知部１０Ｘ、１０Ｙ、１０Ｚの構成を簡略化して示す模式図である。
【００４９】
図４に示す検知部１０Ｘは、受光側導光路部１６に代えて受光側導光路部１６Ｘを備える点が検知部１０と異なる。受光側導光路部１６Ｘは、先端部１６Ａと受光素子１２と対向する後端部１６Ｂとの間に傾倒の支点Ｚを有し、先端部１６Ａを含む一部が傾倒する構成である。このような構成とすることで、傾倒する部分が小さくなり、原稿５の前端が接触した際に素早く傾倒し、前端検知の感度が上がる。傾倒の支点Ｚは、搬送経路３７に近い程傾倒部分が小さくなり、感度が高まる。
【００５０】
図５に示す検知部１０Ｙは、受光側導光路部１６における原稿５が接触する部分に摩耗防止部材２０が設けられている点が検知部１０と異なる。摩耗防止部材２０が設けられることで、受光側導光路部１６の摩耗が阻止され、摩耗による検知精度の低下を防ぐことができる。摩耗防止部材２０は、原稿５と接触するため、原稿５との摺動性のよい材質であることが好ましい。
【００５１】
図６に示す検知部１０Ｚは、発光側導光路部１４と受光側導光路部１６の先端部１６Ａとの間に、遮光部材２１を備える点が検知部１０と異なる。受光側導光路部１６は、発光側導光路部１４側に向かって傾倒するため、漏れた光が導入される可能性がある。遮光部材２１を設けることで、傾倒した受光側導光路部１６に発光側導光路部１４から漏れた光が導入されることを抑制して、不要な光による検知精度の低下を防ぐことができる。
【００５２】
また、図示してはいないが、発光素子１１および受光素子１２が搬送経路３７を挟んで対向配置され、発光素子１１からの光を受光素子１２へ導く光路の少なくとも一部に配設された、起立状態で発光素子１１からの光を受光素子１２に伝達する導光路部を傾倒可能としてもよい。つまり、該導光路部は、一方の端部が搬送経路３７内に臨設させると共に臨設された部分を含む少なくとも一部が傾倒可能に支持され、起立状態で付勢され、搬送経路３７を搬送される原稿５にて傾倒される。傾倒可能に設けられる導光路部は、発光素子１１と一端部が対向し、他端部が搬送経路３７内に突出する構成であってもよい。
【００５３】
このような構成としも、上述した構成と同様、発光素子１１と受光素子１２とから構成される１つの透過型センサにて、厚紙からＯＨＰシートまで幅広く高精度に検知でき、かつ、検知部の小型化も図れる。
【００５４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００５５】
１  画像読取装置
２  原稿搬送装置（シート搬送装置）
５  原稿（シート）
８  制御部
１０、１０Ｘ、１０Ｙ、１０Ｚ  検知部
１１  発光素子
１２  受光素子
１４  発光側導光路部
１５  Ｕ字型導光路部（第１導光路部）
１５Ａ  一端部
１５Ｂ  他端部
１６、１６Ｘ  受光側導光路部（第２導光路部）
１６Ａ  先端部
１６Ｂ  後端部
２０  摩耗防止部材
２１  遮光部材
３７  搬送経路
【図１】
2020158252.tif 000003
【図２】
2020158252.tif 000004
【図３】
2020158252.tif 000005
【図４】
2020158252.tif 000006
【図５】
2020158252.tif 000007
【図６】
2020158252.tif 000008